(57)【要約】【課題】靴に装着したまま商業施設などの屋内に入ってもその床面を傷付けるおそれの無い着脱式滑り止め靴底を得る。【解決手段】靴１の底部に被せて用いられる着脱式滑り止め靴底１１である。この滑り止め靴底１１は、板状のゴム製の第１の滑り止め部材１７が設けられたつま先部分１２と、板状のゴム製の第２の滑り止め部材２１が設けられたかかと部分１３と、靴１の底部における地面に接しない位置に配置されて、つま先部分１２とかかと部分１３とを連結させる弾性伸縮部材３１、３２とを有する。【選択図】図１
2015085169.tif 000002
【特許請求の範囲】
【請求項１】
靴の底部に被せて用いられる着脱式滑り止め靴底であって、
板状のゴム製の第１の滑り止め部材が設けられたつま先部分と、
板状のゴム製の第２の滑り止め部材が設けられたかかと部分と、
靴の底部における地面に接しない位置に配置されて、前記つま先部分とかかと部分とを連結させる弾性伸縮部材とを有する
ことを特徴とする着脱式滑り止め靴底。
【請求項２】
弾性伸縮部材は、靴の底部における地面に接しない側面部に沿って配置されている
ことを特徴とする請求項１記載の着脱式滑り止め靴底。
【請求項３】
つま先部分は第１の保持材を有し、この第１の保持材は、靴のつま先の底部の側周縁に沿って配置される第１の立ち上がり部と、靴のつま先の底部の底周縁に沿って配置される第１の水平部とを備えて横断面Ｌ形に形成されている
ことを特徴とする請求項１または２記載の着脱式滑り止め靴底。
【請求項４】
第１の滑り止め部材は、第１の水平部に接続されることで第１の保持材に取り付けられている
ことを特徴とする請求項３記載の着脱式滑り止め靴底。
【請求項５】
つま先部分は、靴のつま先の先端の上面を覆うカバーを有する
ことを特徴とする請求項３または４記載の着脱式滑り止め靴底。
【請求項６】
第１の保持材とカバーとがいずれも布製である
ことを特徴とする請求項５記載の着脱式滑り止め靴底。
【請求項７】
かかと部分は第２の保持材を有し、この第２の保持材は、靴のかかとの底部の側周縁に沿って配置される第２の立ち上がり部と、靴のかかとの底部の底周縁に沿って配置される第２の水平部とを備えて横断面Ｌ形に形成されている
ことを特徴とする請求項１から６までのいずれか１項記載の着脱式滑り止め靴底。
【請求項８】
第２の滑り止め部材は、第２の水平部に接続されることで第２の保持材に取り付けられている
ことを特徴とする請求項７記載の着脱式滑り止め靴底。
【請求項９】
第２の保持材が布製である
ことを特徴とする請求項７または８記載の着脱式滑り止め靴底。
【請求項１０】
弾性伸縮部材は帯状の平織ゴムである
ことを特徴とする請求項１から９までのいずれか１項記載の着脱式滑り止め靴底。
【発明の詳細な説明】
【技術分野】
【０００１】
本発明は着脱式滑り止め靴底に関し、特に靴の底部に被せて用いられる着脱式滑り止め靴底に関する。
【背景技術】
【０００２】
靴の底部に被せて用いられる着脱式滑り止め靴底として、特許文献１に記載されたものが知られている。この特許文献１の靴底は、滑り止め用の金属製のスパイクが設けられたゴムシートにて構成され、このゴムシートを靴の前後方向に弾性的に若干引き伸ばした状態で、そのゴムシートの一端が靴のつま先部分に引っ掛けられるとともに、その他端が靴のかかと部分に引っ掛けられることで、靴の底部に装着される。
【先行技術文献】
【特許文献】
【０００３】
【特許文献１】中華民国意匠公告第３３８６４０号公報
【発明の概要】
【発明が解決しようとする課題】
【０００４】
しかしながら、このようなスパイク式の着脱式滑り止め靴底では、たとえば屋外の雪道などにおいては良好な機能を発揮するが、デパート等の商業施設などの屋内に入ると、そのスパイクが床面を傷付けてしまうおそれがある。このため、装着したままで屋内に入るのは不適切で、屋外から屋内に入るごとに靴から取り外すことが必要であるとともに、屋内から屋外へ出るときには再び装着することが必要であって、煩に耐えない。
【０００５】
そこで本発明は、このような問題点を解決して、靴に装着したまま商業施設などの屋内に入ってもその床面を傷付けるおそれの無い着脱式滑り止め靴底を得ることを目的とする。
【課題を解決するための手段】
【０００６】
この目的を達成するため、本発明の、靴の底部に被せて用いられる着脱式滑り止め靴底は、板状のゴム製の第１の滑り止め部材が設けられたつま先部分と、板状のゴム製の第２の滑り止め部材が設けられたかかと部分と、靴の底部における地面に接しない位置に配置されて、前記つま先部分とかかと部分とを連結させる弾性伸縮部材とを有することを特徴とする。
【発明の効果】
【０００７】
このような構成であると、滑り止め部材が板状のゴム製の部材にて構成されているため、滑り止め靴底を靴に装着したままの状態で屋内に入り込んでも、屋内の床面を傷付けることがないという利点を有する。また弾性伸縮部材を有することで、その弾性力によって滑り止め靴底を確実に靴に装着することができるのみならず、この弾性伸縮部材は靴の底部における地面に接しない位置に配置されているため、靴を履いた人の体重が作用して靴底と地面との間に挟み込まれることがなく、よって靴の底面に設けられる場合に比べて損傷を受けにくいという利点がある。
【図面の簡単な説明】
【０００８】
【図１】本発明の実施の形態の着脱式滑り止め靴底を靴の底部に装着した状態を示す側面図である。
【図２】同状態を示す立体図である。
【図３】同状態を示す平面図である。
【図４】同状態を示す底面図である。
【図５】本発明の実施の形態の着脱式滑り止め靴底を上方から見た立体図である。
【図６】同着脱式滑り止め靴底を下方から見た立体図である。
【図７】同着脱式滑り止め靴底の平面図である。
【図８】同着脱式滑り止め靴底の側面図である。
【図９】同着脱式滑り止め靴底の底面図である。
【図１０】同着脱式滑り止め靴底の要部の構成を示す図である。
【図１１】図１に示す状態における着脱式滑り止め靴底を断面表示した図であって、図３におけるＸＩ−ＸＩ線に沿った断面図である。
【図１２】同着脱式滑り止め靴底のかかと部分の横断面図であって、図１におけるＸＩＩ−ＸＩＩ線に沿った断面図である。
【図１３】同着脱式滑り止め靴底のつま先部分の横断面図であって、図１におけるＸＩＩＩ−ＸＩＩＩ線に沿った断面図である。
【図１４】同着脱式滑り止め靴底を靴の底部に装着するときの様子を示す図である。
【発明を実施するための形態】
【０００９】
図１〜４、１１〜１４において、１は靴であり、２はそのつま先、３はそのかかと、４はつま先２の底部、５はかかと３の底部である。
【００１０】
図１〜１４において、１１は本発明の実施の形態の着脱式滑り止め靴底である。この滑り止め靴底１１において、１２はそのつま先部分、１３はそのかかと部分である。
【００１１】
図示のように、つま先部分１２は横断面がＬ形の保持材１４を有する。この保持材１４は、たとえば厚めの織布によって構成することができ、そのＬ形における立ち上がり部１５が靴１のつま先２の底部４の側周縁に沿って配置されるとともに、そのＬ形における水平部１６が靴１のつま先２の底部４の底周縁に沿って配置される。
【００１２】
滑り止め靴底１１のつま先部分１２の底部には、靴１のつま先２の底面の輪郭に対応した馬蹄形の輪郭を有するように形成されたゴム製の板状の滑り止め部材１７が設けられている。この滑り止め部材１７としては、たとえば意匠登録第１３９９４９３号公報に記載されたものや、その他のものを好適に用いることができる。図４などにおいては、この意匠登録第１３９９４９３号公報に表された形態をそのまま流用して描いている。ただし、本発明においては、これに限らず、滑り止め機能を有する板状のゴム製の部材であって建物内の床面に傷をつけないものであれば、適宜のものを用いることができる。
【００１３】
滑り止め部材１７は、その縁部が保持材１４の水平部１６に接続されることで保持材１４に取り付けられている。詳細には、縫製や接着やその他の手段によって、保持材１４の水平部１６に取り付けられている。つまり、保持材１４は、布製の帯状の部材によって構成することができ、たとえばその帯状の部材を図示のようにＬ形に折り曲げてその水平部１６を滑り止め部材１７に縫い付けることなどによって、自然に立ち上がり部１５が形成されることになるとともに、そのＬ形の形態を保持できることになる。
【００１４】
滑り止め靴底１１のつま先部分１２では、保持材１４は、滑り止め部材１７の縁部の形状に対応して湾曲した形状とされている。そしてつま先部分１２の先端には、靴１のつま先２の先端の上面を覆うカバー１８が設けられている。このカバー１８は、たとえば、織布により構成されるとともに、靴１のつま先２の先端の上面に対応して立体的に形成されるように、図示のようなプリーツ状に構成されることが好適である。またカバー１８は、その裾の部分が、縫製や接着やその他の手段などによって、靴底１１のつま先部分１２の先端における保持材１４の立ち上がり部１５の部分に取り付けられている。
【００１５】
その結果、カバー１８と、保持材１４における靴１のつま先２の先端に対応した部分と、滑り止め部材１７における靴１のつま先２の先端に対応した部分とによって、靴１のつま先２の先端を収容可能な空間１９が形成されている。
【００１６】
滑り止め靴底１１のかかと部分１３は、つま先部分１２と同様の構成とされている。すなわち、かかと部分１３は、靴１のかかと３の底面の輪郭に対応した形に形成された滑り止め部材２１と、この滑り止め部材２１の縁部の形状に対応して湾曲した形状とされた保持材２２とを有している。保持材２２において、２３は立ち上がり部、２４は水平部で、これらは、つま先部分１２のものと同様の構成である。すなわち、立ち上がり部２３は靴１のかかと３の底部５の側周縁に沿って配置されるとともに、水平部２４は靴１のかかと３の底部５の底周縁に沿って配置される。かかと部分１３には、つま先部分１２のようなカバー１８は設けられていない。
【００１７】
つま先部分１２における保持材１４の一端部２５および他端部２６は、いずれも、かかと部分１３の方を向いた姿勢とされている。また、かかと部分１３における保持材２２の一端部２７および他端部２８は、いずれも、つま先部分１２の方を向いた姿勢とされている。そして、つま先部分１２の一端部２５とかかと部分１３の一端部２７との間、および、つま先部分１２の他端部２６とかかと部分１３の他端部２８との間には、それぞれ、弾性伸縮部材３１、３２がわたされている。
【００１８】
詳細には、弾性伸縮部材３１、３２としては、一般に「コールゴム」と称されている帯状の平織ゴムを好適に用いることができる。そして、この帯状の弾性伸縮部材３１、３２を、図示のように靴１の底部における地面に接する底面部ではなく地面に接しない位置、たとえば図示のような靴１の底部における側面部に沿わせて配置したうえで、その帯状の弾性伸縮部材３１、３２の一端部および他端部を、つま先部分１２の保持材１４の一端部２５および他端部２６における立ち上がり部１５と、かかと部分１３の保持材２２の一端部２７および他端部２８における立ち上がり部２３とに接続している。つまり、つま先部分１２の保持材１４の立ち上がり部１５と、帯状の弾性伸縮部材３１、３２と、かかと部分１３の保持材２２の立ち上がり部２３とが連続する形態で、これらが互いに接続されている。
【００１９】
弾性伸縮部材３１、３２と保持材１４、２２との接続構造について説明する。図１、図７〜１１、図１４に示すように、保持材１４、２２における弾性伸縮部材３１、３２との接続部では、水平部１６，２４は設けられておらず、立ち上がり部１５、２３だけが設けられている。そして、図１０に詳しく示すように、その立ち上がり部１５、２３の先端部分と、帯状の弾性伸縮部材３１、３２の先端部分とが互いの厚み方向に重ね合わされて、縫製や接着などにより接合一体化されている。３３はカバーで、布やプラスチック等にて構成され、立ち上がり部１５、２３と弾性伸縮部材３１、３２との重ね合わせおよび接合一体化部を覆うことで、その部分の美観の向上のために用いられる。
【００２０】
このような構成の滑り止め靴底１１を靴１に装着する際には、図１４に示すように、まず靴１のつま先２を滑り止め靴底１１のつま先部分１２の空間１９に入り込ませることで、このつま先部分１２の先端のカバー１８が存在する部分を靴１のつま先２に被せる。次に、滑り止め靴底１１のかかと部分１３を手指によりつま先部分１２から遠ざかる方向に引っ張る。すると、弾性伸縮部材３１、３２が弾性的に伸びる。そこで、この弾性伸縮部材３１、３２が伸びた状態の滑り止め靴底１１のかかと部分１３を、靴１のかかと３の底部５に下方から被せる。最後に手指による引張力を解除すると、弾性伸縮部材３１、３２が少し縮み、この弾性伸縮部材３１、３２の弾性力によって、つま先部分１２とかかと部分１３とが靴１に保持される。つまり、滑り止め靴底１１が靴１に保持される。
【００２１】
上記と逆の順序によれば、滑り止め靴底１１を靴１から容易に取り外すことができる。
【００２２】
このように靴１に滑り止め靴底１１を装着保持したものであると、雪道などの滑りやすい地面や、濡れて滑りやすい床面を、滑らずに安全に歩行することができる。また板状のゴム製の滑り止め部材１７、２１を用いているため、滑り止めのためにスパイクなどを設置する必要がなく、したがって屋外から屋内に入ったときに建物の床面を傷付けることがなく、このため屋外から屋内に入るときに滑り止め靴底１１を靴１から取り外す必要がなく、屋外に出るときの再装着も不要である。
【００２３】
弾性伸縮部材３１、３２が縮もうとする力によって滑り止め靴底１１が靴１に装着されるため、滑り止め靴底１１を確実に靴１に保持させることができる。かつ、靴１のつま先２の先端部が空間１９に入り込んでいることによって、この空間１９を形成するカバー１８と保持材１４と滑り止め部材１７とによって、この靴１のつま先２の先端部を保持できることで、いっそう確実に滑り止め靴底１１を靴１に装着することができる。
【００２４】
弾性伸縮部材３１、３２は靴１の側部に沿って設けられており、靴１の底面に沿って設けられたものではないため、靴１を履いた人の体重が作用して靴底と地面との間に挟み込まれることがなく、よって靴１の底面に沿って設けられる場合に比べて損傷を受けにくくすることができる。さらに、滑り止め靴底１１におけるつま先部分１２とかかと部分１３との間は靴１の側部に沿って弾性伸縮部材が設けられているだけであり、靴１の底面に沿って何らの部材も設けられていないため、歩行時における靴１の「くの字」状の屈曲の妨げになることがなく、このため滑り止め靴底１１を装着した状態でも非常に歩きやすいという利点がある。
【００２５】
弾性伸縮部材３１、３２にある程度の「伸縮しろ」をもたせることで、一つの滑り止め靴底１１を一定範囲でのサイズ違いの靴１に適用することができる。このため、たとえば大小２種類あるいは大中小３種類程度の滑り止め靴底１１を用意しておくだけで、通常の範囲のサイズ違いの靴１のすべてに用いることが可能である。
【００２６】
滑り止め靴底１１のかかと部分１３の滑り止め部材２１に貫通穴を形成しておけば、図示のような「かかと」の低い靴１に装着できるほかに、かかとの高い靴のかかとの部分をこの貫通穴に通すことによって、このかかとの高い靴にも滑り止め靴底１１を装着することができる。ただしその場合は、つま先部分１２が主として滑り止めの効果を発揮する。
【００２７】
滑り止め靴底１１のつま先部分１２の保持材１４およびカバー１８や、かかと部分１３の保持材２２は、上記の構成に代えて、軟質プラスチックやゴムなどによって形成することもできる。ゴム製である場合は、滑り止め部材１７、２１を含めたつま先部分１２の全体や、かかと部分１３の全体をゴムにより一体に成形することも可能である。これに対し、上記のように保持材１４、２２やカバー１８を布にて構成すれば、コンパクトに畳んで携行することができる利点がある。
【００２８】
弾性伸縮部材３１、３２は、地面に接しない位置であれば、上述の靴１の底部における側面部に沿った位置以外の適宜の位置に設けることも可能である。たとえば、滑り止め部材１７、２１が接地したときに地面から距離をおくことになる位置であれば、靴１の底面に対応する位置に設けることも可能である。
【００２９】
弾性伸縮部材３１、３２は、上述のような平織ゴムに代えて、丸ゴムや、金属製のコイルスプリングなど、適宜のものを利用することができる。
【符号の説明】
【００３０】
１２    つま先部分
１３    かかと部分
１７    滑り止め部材
２１    滑り止め部材
３１    弾性伸縮部材
３２    弾性伸縮部材
【図１】
2015085169.tif 000003
【図２】
2015085169.tif 000004
【図３】
2015085169.tif 000005
【図４】
2015085169.tif 000006
【図５】
2015085169.tif 000007
【図６】
2015085169.tif 000008
【図７】
2015085169.tif 000009
【図８】
2015085169.tif 000010
【図９】
2015085169.tif 000011
【図１０】
2015085169.tif 000012
【図１１】
2015085169.tif 000013
【図１２】
2015085169.tif 000014
【図１３】
2015085169.tif 000015
【図１４】
2015085169.tif 000016